(57)【要約】【課題】環状保持板のリベットの表面以外に、環状保持板のリベットの頭部底面との当接部や、リベット穴の内周面、リベットの軸部にも表面処理を施して保持器強度を高める。【解決手段】両環状保持板には、リベットの軸部の外径よりも大径のリベット穴が形成されており、かつ、一方の環状保持板のリベット穴の開口周縁の複数個所に、円弧状の凸片が、対向する凸片同士で形成される開口径がリベットの軸部の外径よりも若干小さくなるように段状に形成されており、リベット穴にリベットを挿入し、凸片にリベットの軸部を掛止した状態で表面処理を行った後、他方の環状保持板と平坦部同士を突き合わせ、リベットを加締めて連結する。これにより、環状保持耐及びリベットの表面とともに、環状保持板のリベットの頭部底面との当接部、リベット穴の内周面、リベットの軸部も表面処理された波型保持器が得られる。【選択図】図２
2016033385.tif 000002
【特許請求の範囲】
【請求項１】
周方向に沿って、玉の保持部となる半円状の湾曲部と、平坦部とを交互に複数形成してなる金属製の環状保持板を一対、平坦部同士を突き合わせてリベットにより加締めて連結してなり、環状保持板及びリベットに表面処理が施された波型保持器の製造方法において、
両環状保持板には、リベットの軸部の外径よりも大径のリベット穴が形成されており、かつ、
一方の環状保持板のリベット穴の開口周縁の複数個所に、リベット穴の内側に向かって延出する円弧状の凸片が、対向する凸片同士で形成される開口径がリベットの軸部の外径よりも若干小さくなるように段状に形成されており、
リベット穴にリベットを挿入し、凸片にリベットの軸部を掛止した状態で表面処理を行った後、他方の環状保持板と平坦部同士を突き合わせ、リベットを加締めることを特徴とする波型保持器の製造方法。
【請求項２】
請求項１に記載の製造方法により得られ、かつ、
環状保持板及びリベットの表面とともに、環状保持板のリベットの頭部底面との当接部、リベット穴の内周面、リベットの軸部及びリベットの頭部底面も表面処理されていることを特徴とする波型保持器。
【発明の詳細な説明】
【技術分野】
【０００１】
本発明は、窒化層形成等の表面処理が施された波型保持器、並びにその製造方法に関する。
【背景技術】
【０００２】
図３に示すように、玉軸受の波型保持器１は、一対の金属製の環状保持板１Ａ，１Ｂをリベット４で連結して構成されている。環状保持板１Ａ，１Ｂは同じ形状であり、周方向に沿って平坦部２，３と半円状の湾曲部５，６とが交互に形成されており、全体が略波形に形成されている。そして、一対の環状保持板１Ａ，１Ｂの平坦部２，３同士を突き合わせ、リベット４で加締めて連結することで波型保持器１となる。この波型保持器１では、各環状保持板１Ａ，１Ｂの対面する湾曲部５，６同士が玉７を包んで保持するポケット８を形成する。
【０００３】
また、波型保持器１に表面処理を施して種々の特性を向上させることも行われている。例えば特許文献１では、環状保持板１Ａ，１Ｂの表面やリベット４の表面に窒化層を形成して硬度や耐摩耗性を向上させている。
【０００４】
特許文献１では、窒化層の形成を、リベット４を両環状保持板１Ａ，１Ｂに仮止めした状態で、もしくは何れか一方の環状保持板１Ａ（１Ｂ）に圧入した状態で、窒化層を形成させている。この圧入は、環状保持板１Ａ，１Ｂの平坦部２，３に設けたリベット穴からリベット４が抜け落ちないように、リベット穴をリベット４よりも若干小径とし、このリベット穴にリベット４を押し込むことで行われる。そのため、図４に一方の環状保持板１Ａにリベット４を圧入して窒化層を形成した場合を示すが、図中ハッチングで示すように、平坦部２のリベット穴１０の内周面や、リベット４の頭部底面４ａとの当接部２０には窒化層が形成されない。その結果、これら未処置部分には窒化層による補強効果が得られず、例えば、加締めた際にリベット穴１０の開口周辺が塑性変形し、変形部分を起点にして損傷することがある。
【先行技術文献】
【特許文献】
【０００５】
【特許文献１】特開平１０−２８１１６３号公報
【発明の概要】
【発明が解決しようとする課題】
【０００６】
本発明はこのような状況に鑑みてなされたものであり、表面処理を施す際に、環状保持板のリベットの表面以外に、環状保持板のリベットの頭部底面との当接部や、リベット穴の内周面、リベットの軸部にも処理を施して保持器強度を高めることを目的とする。
【課題を解決するための手段】
【０００７】
上記課題を解決するために本発明は、下記の波型保持器及びその製造方法を提供する。
（１）周方向に沿って、玉の保持部となる半円状の湾曲部と、平坦部とを交互に複数形成してなる金属製の環状保持板を一対、平坦部同士を突き合わせてリベットにより加締めて連結してなり、環状保持板及びリベットに表面処理が施された波型保持器の製造方法において、
両環状保持板には、リベットの軸部の外径よりも大径のリベット穴が形成されており、かつ、
一方の環状保持板のリベット穴の開口周縁の複数個所に、リベット穴の内側に向かって延出する円弧状の凸片が、対向する凸片同士で形成される開口径がリベットの軸部の外径よりも若干小さくなるように段状に形成されており、
リベット穴にリベットを挿入し、凸片にリベットの軸部を掛止した状態で表面処理を行った後、他方の環状保持板と平坦部同士を突き合わせ、リベットを加締めることを特徴とする波型保持器の製造方法。
（２）上記（１）に記載の製造方法により得られ、かつ、
環状保持板及びリベットの表面とともに、環状保持板のリベットの頭部底面との当接部、リベット穴の内周面、リベットの軸部及びリベットの頭部底面も表面処理されていることを特徴とする波型保持器。
【発明の効果】
【０００８】
本発明では、リベット穴に設けた凸片にリベットの軸部を掛止した状態で表面処理を行うため、リベットとリベット穴との間に隙間が形成され、この隙間にも表面処理剤が入り込む。そのため、従来では未処理であった、環状保持板のリベットの頭部底面との当接面部、リベット穴の内周面、リベットの軸部にも処理を施すことができ、保持器全体の強度を高めることができる。
【図面の簡単な説明】
【０００９】
【図１】本発明で用いる環状保持板のリベット穴の上面図である。
【図２】図１に示したリベット穴にリベットを挿入した状態を示す断面図である。
【図３】波型保持器を示す斜視図である。
【図４】従来の窒化層を形成した状態を示す断面図である。
【発明を実施するための形態】
【００１０】
以下、本発明に関して図面を参照して詳細に説明する。
【００１１】
本発明の波型保持器として、図３に示したような、一対の環状保持板１Ａ，１Ｂの平坦部２，３を突き合わせ、リベット４で連結した波型保持器１を例示することができる。
【００１２】
但し、図１に示すように、一方の環状保持板１Ａ，１Ｂ（ここでは１Ａ）の平坦部２に設けたリベット穴１０の開口周縁の複数個所に、リベット穴１０の内方側に突出する円弧状の凸片３０が段状に形成されている。尚、凸片３０は、図１では等間隔で、９０°位相がずれた４ヶ所に、同じ円弧長にて形成されているが、形成個所数には制限はない。
【００１３】
図２は、リベット穴１０にリベット４を挿入した状態を示す断面図であるが、リベット４の軸部４ｂが凸片３０に掛止して保持されている。そのため、リベット穴１０の開口径はリベット４の軸部４ｂの外径よりも大きく設定されており、対向する凸片同士で形成される開口径がリベット４の軸部４ｂの外径よりも若干小さくなるように設定されている。尚、凸片３０の大きさは、リベット４が挿入容易で、かつ、容易に脱落しない締め代であれば、その突出量や円弧長、厚さ等には制限はない。例えば、凸片３０は同じ厚さで平板状に形成してもよいし、図２に示すように、リベット穴１０の開口端部から内方に向かうのに従って徐々に降下する断面直角三角形状に形成してもよい。そして、リベット穴１０にリベット４を挿入した際に、凸片３０が弾性変形してリベット４の軸部４ｂを掛止する。
【００１４】
本発明では、リベット４がリベット穴１０の凸片３０に掛止した状態で表面処理を行う。表面処理として、例えば窒化処理を施して表面に窒化層を形成することにより、硬度や耐摩耗性、耐熱性、耐食性等を向上させることができる。窒化層を形成する方法は公知の窒化処理で構わず、例えば、ＮＨ３からなるガス、またはＮＨ３と炭素源とからなる混合ガス（例えばＲＸガス）等の窒化ガス中に、所要の温度で所要の時間保持する。その際、リベット４がリベット穴１０の凸片３０に掛止した状態であるため、リベット穴１０の凸片３０が形成されていない部分に窒化ガスが流入する。更には、図２に示すように凸片３０を断面略直角三角形状に形成することにより、下方に傾斜している傾斜面にも窒化ガスが流入する。その結果、凸片３０とリベット４とが接触している極くわずかな部分を除いて、従来では窒化層が形成されていなかったリベット４の頭部底面４ａ及び軸部４ｂ、環状保持器１Ａのリベット４の頭部底面４ａとの当接部２０、リベット穴１０の内周面にも窒化層が形成される。
【００１５】
そして、窒化層を形成した後、他方の環状保持板１Ｂと平坦部同士を突き合わせ、リベット４を加締めることにより、波型保持器１が得られる。上記したように、リベット４の頭部底面４ａ、並びに底部底面４ａとの当接部２０に同じ窒化層が形成されるため、両者が同じ硬さとなり、加締めた時に、リベット穴１０の開口周辺の塑性変形を防止することができる。また、リベット４の軸部４ｂ及びリベット穴１０の内周面にも窒化層が形成されるため、リベット４及びリベット穴１０も補強される。
【符号の説明】
【００１６】
１  波型保持器
１Ａ，１Ｂ  環状保持板
２，３  平坦部
４  リベット
４ａ  頭部底面
４ｂ  軸部
１０  リベット穴
３０  凸片
【図１】
2016033385.tif 000003
【図２】
2016033385.tif 000004
【図３】
2016033385.tif 000005
【図４】
2016033385.tif 000006